(57)【要約】【課題】パーソナルコンピュータ等の情報処理装置からページ内の写真や図形を挿入した部分を指定し、モニタ画面を見ながら色味を合わせる。【解決手段】前記文書の印刷プレビュー画面を表示させ、表示された印刷プレビュー画面から所望の領域を切り取り、切り取られた領域の画像を構成するカラー各色の濃度、色相、彩度及び明度の各画像要素の多くとも２つの画像要素を選択し、選択された画像要素を段階的に変更し、変更を受けた画像を段階別に並べて印刷し、印刷された画像の中から１つを選択し、選択された画像に対し、最終的にあらゆる画像を構成する要素から最も適した値が選択されるまで繰り返し、最も適した値が選択されたときにそれらの値を画像全体に反映させて文書全体を印刷させる。【選択図】        図２
2004164125.tif 000002
【特許請求の範囲】
【請求項１】
情報処理装置からの印字情報に基づいて画像出力装置によってイメージ画像を含む文書を出力させる印刷出力制御装置において、
前記文書の印刷プレビュー画面を表示させるプレビュー表示手段と、
前記プレビュー表示手段によって表示された印刷プレビュー画面から所望の領域を切り取る領域切り取り手段と、
前記領域切り取り手段によって切り取られた前記領域のみを印刷させる印刷制御手段と、
を備えていることを特徴とする印刷出力制御装置。
【請求項２】
前記印刷制御手段は、前記切り取られた領域の画像を構成するカラー各色の濃度、色相、彩度及び明度の各画像要素の少なくとも１つを変更する画像要素変更手段を含むことを特徴とする請求項１記載の印刷出力制御装置。
【請求項３】
前記画像要素変更手段は前記少なくとも１つの画像要素を段階的に変更し、前記印刷制御手段は前記段階的に画像要素の変更を受けた画像を段階別に並べて印刷することを特徴とする請求項２記載の印刷出力制御装置。
【請求項４】
前記段階的に並べられた画像は前記切り取られた領域の原寸大であることを特徴とする請求項３記載の印刷出力制御装置。
【請求項５】
前記切り取られた領域の画像を構成するカラー各色の濃度、色相、彩度及び明度の各画像要素の２つ以下の画像要素を選択する画像要素選択手段をさらに備え、
前記画像要素変更手段は、選択された画像要素を段階的に変更し、
前記印刷制御手段は前記段階的に画像要素の変更を受けた画像を原寸大で段階別に並べて印刷することを特徴とする請求項２記載の印刷出力制御装置。
【請求項６】
前記並べて印刷された画像の中の１つを選択する画像選択手段をさらに備え、
前記画像選択手段によって選択された画像について、前記画像要素選択手段により再度カラー各色の濃度、色相、彩度及び明度の各画像要素の２つ以下の画像要素を選択し、
前記画像要素変更手段は、選択された画像要素を段階的に変更し、
前記印刷制御手段は前記段階的に画像要素の変更を受けた画像を原寸大で段階別に並べて印刷することを特徴とする請求項５記載の印刷出力制御装置。
【請求項７】
前記各手段による動作を繰り返させる制御手段をさらに備え、前記制御手段は、最終的にあらゆる画像を構成する要素からもっとも適した値が選択されたときに、それらの値を画像全体に反映させて文書全体を印刷させることを特徴とする請求項６記載の印刷出力制御装置。
【請求項８】
情報処理装置からの印字情報に基づいて画像出力装置によってイメージ画像を含む文書を出力させる印刷出力制御方法において、
前記文書の印刷プレビュー画面を表示させる第１の工程と、
前記第１の工程で表示された印刷プレビュー画面から所望の領域を切り取る第２の工程と、
前記第２の工程で切り取られた領域の画像を構成するカラー各色の濃度、色相、彩度及び明度の各画像要素の多くとも２つの画像要素を選択する第３の工程と、
前記第３の工程で選択された画像要素を段階的に変更する第４の工程と、
前記第４の工程で画像要素の変更を受けた画像を段階別に並べて印刷する第５の工程と、
前記第５の工程で並べて印刷された画像の中から１つを選択する第６の工程と、
前記第６の工程で選択された画像に対し、前記第４ないし第７の工程を最終的にあらゆる画像を構成する要素から最も適した値が選択されるまで繰り返し、最終的にあらゆる画像を構成する要素から最も適した値が選択されたときに、それらの値を画像全体に反映させて文書全体を印刷させる第８の工程と、
を含んでなることを特徴とする印刷出力制御方法。
【請求項９】
前記第４の工程で並べて印刷される１つの画像の大きさが、前記第２の工程で切り取られた領域の原寸大の大きさであることを特徴とする請求項８記載の印刷出力制御方法。
【請求項１０】
情報処理装置からの印字情報に基づいて画像出力装置によってイメージ画像を含む文書を出力させるコンピュータプログラムにおいて、
前記文書の印刷プレビュー画面を表示させる第１の処理手順と、
前記第１の処理手順で表示された印刷プレビュー画面から所望の領域を切り取る第２の処理手順と、
前記第２の処理手順で切り取られた領域の画像を構成するカラー各色の濃度、色相、彩度及び明度の各画像要素の多くとも２つの画像要素を選択する第３の処理手順と、
前記第３の処理手順で選択された画像要素を段階的に変更する第４の処理手順と、
前記第４の処理手順で画像要素の変更を受けた画像を段階別に並べて印刷する第５の処理手順と、
前記第５の処理手順で並べて印刷された画像の中から１つを選択する第６の処理手順と、
前記第６の処理手順で選択された画像に対し、前記第４ないし第７の処理手順を最終的にあらゆる画像を構成する要素から最も適した値が選択されるまで繰り返し、最終的にあらゆる画像を構成する要素から最も適した値が選択されたときに、それらの値を画像全体に反映させて文書全体を印刷させる第８の処理手順と、
を含んでなることを特徴とするコンピュータプログラム。
【発明の詳細な説明】
【０００１】
【発明の属する技術分野】
プリンタあるいはプリンタ機能を有するデジタル複合機などの画像出力装置に対して情報処理装置（コンピュータ）からの印字情報に基づいて印刷制御を行う印刷出力制御装置及び情報処理装置にダウンロードされ、当該情報処理装置で印字制御を実行するためのコンピュータプログラムに関する。
【０００２】
【従来の技術】
この種の技術として例えば特開平１１−２３４５３０号公報に開示された発明が公知である。この発明は、測定器を用いることなくプリンタのγ補正をモニタ上で行うため、カラー画像の表示手段と、このカラー画像の印刷手段と、画像を処理する手段を備え、印刷手段のプリンタガンマを補正する補正方法において、Ｎ階調の複数色からなるテスト画像をプリントし、該テスト画像をモニタ上に表示し、プリントされた画像とモニタ上に表示された画像とが一致するように、モニタ上の画像の各色を順次重ね合わせながら色調整し、色調整後に得られたパラメータ値を用いてプリンタガンマを補正するもので、テスト画像としては例えばＣ色、Ｍ色、Ｙ色を含むインクから生成した混色パターンなどが使用される。
【０００３】
【特許文献１】
特開平１１−２３４５３０号公報
【０００４】
【発明が解決しようとする課題】
前記公知例はプリンタガンマをモニタ上で調整使用するものであるが、カラー画像の場合、色味を合わせたい場合がある。例えば、パーソナルコンピュータ等の計算機のアプリケーションで作成した文書をプリンタなどの出力装置に印刷する際、文書作成者が画面上の写真や図形などの色味と印刷結果の色味を合わせたい場合がある。このような場合に色味を合わせることが可能なカラーマッチングなどのソリューションは提供されているが、忠実なカラーマッチングではなく、文書作成者が好む色味に合わせたい場合は、印刷出力制御装置（以下、「プリンタドライバ」と称す）上で設定を変更し、印刷を行うということを繰り返して文書作成者の好む印刷したい色味に合わせる必要があった。このような方法で文書全体を印刷した場合、出力時間が掛かってしまい、最終的に色味を合わせるまでに長時間必要となる。
【０００５】
また、文書には、１ページ全体が写真や図形で構成されたものと、ページ内の一部分に写真や図形などが挿入されたり貼り付けられたりしたものとがあり、一般的には後者のような文書が多く、このような文書では、写真や図形を挿入した部分のみ色味を合わせることが望まれている。
【０００６】
そこで、本発明の目的は、パーソナルコンピュータ等の情報処理装置からページ内の写真や図形を挿入した部分を指定し、モニタ画面を見ながら色味を合わせることが可能な印刷出力制御装置、印刷出力制御方法及びコンピュータプログラムを提供することにある。
【０００７】
【課題を解決するための手段】
前記目的を達成するため、第１の手段は、情報処理装置からの印字情報に基づいて画像出力装置によってイメージ画像を含む文書を出力させる印刷出力制御装置において、前記文書の印刷プレビュー画面を表示させるプレビュー表示手段と、前記プレビュー表示手段によって表示された印刷プレビュー画面から所望の領域を切り取る領域切り取り手段と、前記領域切り取り手段によって切り取られた前記領域のみを印刷させる印刷制御手段とを備えていることを特徴とする。
【０００８】
第１の手段のように構成すると、ページ内の一部分の写真や図形部分を印刷のプレビュー画面から切り取り、その部分のみを印刷することが可能なため、短時間で印刷処理が行われ、最終的な色味を合わせた画像を得られるまでの時間を短縮することが可能となる。
【０００９】
第２の手段は、第１の手段において、前記印刷制御手段は、前記切り取られた領域の画像を構成するカラー各色の濃度、色相、彩度及び明度の各画像要素の少なくとも１つを変更する画像要素変更手段を含むことを特徴とする。
【００１０】
写真や図形などの画像を構成する要素は、多岐に渡っており、時間短縮の為にそれらを組み合わせて変更した場合に、どの要素が効いて出力結果に反映されているのかは直感的には把握しづらい。そこで、この第２の手段のように構成すると、おのおのの要素をプレビュー画面から切り取った部分にのみ適用させることが可能なため、出力時間が短縮され、要素１つずつで変更を行っても短時間で最終的な色味を合わせた結果を得ることが可能となる。
【００１１】
第３の手段は、第２の手段において、前記画像要素変更手段は前記少なくとも１つの画像要素を段階的に変更し、前記印刷制御手段は前記段階的に画像要素の変更を受けた画像を段階別に並べて印刷することを特徴とする。
【００１２】
第４の手段は、第３の手段において、前記段階的に並べられた画像は前記切り取られた領域の原寸大であることを特徴とする。
【００１３】
第５の手段は、第２の手段において、前記切り取られた領域の画像を構成するカラー各色の濃度、色相、彩度及び明度の各画像要素の２つ以下の画像要素を選択する画像要素選択手段をさらに備え、前記画像要素変更手段は、選択された画像要素を段階的に変更し、前記印刷制御手段は前記段階的に画像要素の変更を受けた画像を原寸大で段階別に並べて印刷することを特徴とする。
【００１４】
第３ないし第５の手段のように構成すると、写真や図形などの画像を構成する画像要素の１つに対して、現在の値（デフォルト値）から数値が大きい方向及び小さい方向またはどちらかいずれかの方向に指定した値ごとに段階的に変更して作成した画像を１枚または複数のページに印刷することにより、１回の印刷処理で各段階の出力結果が得られる。このように一覧で印刷することができるので、短時間で色味を合わせることが可能となり、また、適用した画像要素（変更した画像要素）によりどのように画像に変化が見られるか視覚を通じで直感的に認識できる。
【００１５】
第６の手段は、第５の手段において、前記並べて印刷された画像の中の１つを選択する画像選択手段をさらに備え、前記画像選択手段によって選択された画像について、前記画像要素選択手段により再度カラー各色の濃度、色相、彩度及び明度の各画像要素の２つ以下の画像要素を選択し、前記画像要素変更手段は、選択された画像要素を段階的に変更し、前記印刷制御手段は前記段階的に画像要素の変更を受けた画像を原寸大で段階別に並べて印刷することを特徴とする。
【００１６】
第６の手段のように構成すると、写真や図形などの画像を構成する画像要素に対して、段階的に画像要素を変更して出力した画像の中からもっとも適した画像１つを選び、その値を現在の値として、再度同じまたは異なる画像要素を選び段階的に画像要素を変更して印刷させることにより、あらゆる画像を構成する要素の調整を行うことができ、短時間で色味を合わせることが可能となる。
【００１７】
第７の手段は、第６の手段において、前記各手段による動作を繰り返させる制御手段をさらに備え、前記制御手段は、最終的にあらゆる画像を構成する要素からもっとも適した値が選択されたときに、それらの値を画像全体に反映させて文書全体を印刷させることを特徴とする。
【００１８】
第７の手段のように構成すると、最も色味を合わせたい箇所に対する、写真や図形などの画像のあらゆる画像要素の調整を行った結果を画像全体に適用することにより、短時間で色味を合わせることが可能となる。
【００１９】
第８の手段は、情報処理装置のアプリケーションから画像出力装置によってイメージ画像を含む文書を出力させる印刷出力制御方法において、前記文書の印刷プレビュー画面を表示させる第１の工程と、前記第１の工程で表示された印刷プレビュー画面から所望の領域を切り取る第２の工程と、前記第２の工程で切り取られた領域の画像を構成するカラー各色の濃度、色相、彩度及び明度の各画像要素の多くとも２つの画像要素を選択する第３の工程と、前記第３の工程で選択された画像要素を段階的に変更する第４の工程と、前記第４の工程で画像要素の変更を受けた画像を段階別に並べて印刷する第５の工程と、前記第５の工程で並べて印刷された画像の中から１つを選択する第６の工程と、前記第６の工程で選択された画像に対し、前記第４ないし第７の工程を最終的にあらゆる画像を構成する要素から最も適した値が選択されるまで繰り返し、最終的にあらゆる画像を構成する要素から最も適した値が選択されたときに、それらの値を画像全体に反映させて文書全体を印刷させる第８の工程とを含んでなることを特徴とする。
【００２０】
第９の手段は、第８の手段において、前記第４の工程で並べて印刷される１つの画像の大きさが、前記第２の工程で切り取られた領域の原寸大の大きさであることを特徴とする。
【００２１】
第８及び第９の手段のように構成すると、ページ内の一部分の写真や図形部分を印刷のプレビュー画面から切り取り、その部分のみを印刷することが可能なため、短時間で印刷処理が行われ、最終的な色味を合わせた画像を得られるまでの時間を短縮することが可能となる。また、写真や図形などの画像を構成する画像要素の１つに対して、現在の値（デフォルト値）から前後またはどちらか片方向に、指定した値ごとに段階的に適用した画像を１枚または複数のページに印刷することにより、１回の印刷処理で各段階の出力結果が得られ、短時間で色味を合わせることが可能となり、また、適用した要素によりどのように画像に変化が見られるかがわかる。さらに、写真や図形などの画像を構成する要素に対して、段階的に出力した画像の中からもっとも適した画像１つを選び、その値を現在の値として、再度同じまたは異なる要素を選び段階的に印刷させることを繰り返し行うことにより、あらゆる画像を構成する要素の調整を行うことができ、短時間で色味を合わせることが可能となる。加えて、最も色味を合わせたい箇所に対する、写真や図形などの画像を構成するあらゆる要素の調整を行った結果を画像全体に対して行うので、短時間で色味を合わせることが可能となる。
【００２２】
第１０の手段は、情報処理装置のアプリケーションから画像出力装置によってイメージ画像を含む文書を出力させるコンピュータプログラムにおいて、前記文書の印刷プレビュー画面を表示させる第１の処理手順と、前記第１の処理手順で表示された印刷プレビュー画面から所望の領域を切り取る第２の処理手順と、前記第２の処理手順で切り取られた領域の画像を構成するカラー各色の濃度、色相、彩度及び明度の各画像要素の多くとも２つの画像要素を選択する第３の処理手順と、前記第３の処理手順で選択された画像要素を段階的に変更する第４の処理手順と、前記第４の処理手順で画像要素の変更を受けた画像を段階別に並べて印刷する第５の処理手順と、前記第５の処理手順で並べて印刷された画像の中から１つを選択する第６の処理手順と、前記第６の処理手順で選択された画像に対し、前記第４ないし第７の処理手順を最終的にあらゆる画像を構成する要素から最も適した値が選択されるまで繰り返し、最終的にあらゆる画像を構成する要素から最も適した値が選択されたときに、それらの値を画像全体に反映させて文書全体を印刷させる第８の処理手順とを含んでなることを特徴とする。
【００２３】
第１０の手段のように構成すると、情報処理装置にダウンロードするだけで、第８の手段と同等の動作を行わせることができる。
【００２４】
なお、以下の実施形態において、前記プレビュー表示手段はパーソナルコンピュータ１００のモニタ画面に、領域切り取り手段はパーソナルコンピュータ１００のマウスを含むぽんと手段に、印刷制御手段はパーソナルコンピュータ１００にダウンロードされたプリンタドライバに、画像要素変更手段はプリンタドライバ及びプリンタドライバ画面３にそれぞれ対応する。
【００２５】
【発明の実施の形態】
以下、本発明の実施形態について図面を参照して説明する。
【００２６】
図１は本発明が適用される印刷出力制御装置のシステムのシステム構成を示す図である。図１において、パーソナルコンピュータ（ＰＣ）１００は直接プリンタ１１０あるいはプリンタ機能、コピー機能、あるいはファクシミリ機能などを備えたデジタル複合機（ＭＦＰ）１１３に接続されている。また、パーソナルコンピュータ１００はネットワーク１２０を介してプリンタ１１１及びデジタル複合機（ＭＦＰ）１１２に接続されている。パーソナルコンピュータ１００にはプリンタドライバがインストールされ、このプリンタドライバに書き込まれたプログラムをパーソナルコンピュータ１００のハードディスク（ＨＤＤ）１０４にダウンロードしてプリンタドライバの機能をパーソナルコンピュータ１００が実現する。
【００２７】
プリンタドライバは例えばメディア１０７としての光ディスクに収納され、メディア駆動装置（ここでは光ディスクドライバ）１０６にロードされ、インターフェース（Ｉ／Ｆ）１０５を介してハードディスク１０４にインストールされる。パーソナルコンピュータ１００には、ＣＰＵ１０１、ＲＯＭ１０２及びＲＡＭ１０３が搭載され、ＣＰＵ１０１はＲＡＭ１０３をワークエリアとして使用しながらＲＯＭ１０２に書き込まれたプログラムを実行する。
【００２８】
図２は本実施形態に係るシステムににおいてパーソナルコンピュータ１００が実行する処理の処理手順を示すフローチャートである。以下、このフローチャートに沿って説明する。
【００２９】
まず、パーソナルコンピュータ１００のアプリケーションによって文書が作成され（ステップＳ１）、印刷が指示されると印刷が実行されることになるが、図３に示すように部分的に写真や図形などを含む文書１、この場合には、写真や図形がテキスト文書１４の所望の領域に貼り付けられている。その際、前記写真や図形（この実施形態では図３における写真画像２）の色味を文書作成者の好みに合わせて印刷をすることができる。
【００３０】
そこで、アプリケーション上で印刷処理を行うと（ステップＳ２）、印刷を行おうとするプリンタの機能を設定するためのプリンタドライバ画面３が図４に示すように現れる。そして、この画面３上で「部分印刷／画像調整を行う」４をチェックする。これにより部分印刷／画像調整モードに入る（ステップＳ３−ＹＥＳ）。次いで、プリンタドライバ画面３上で「プレビュー表示」ボタン５を押下すると、印刷しようとする文書のプレビューが表示される（ステップＳ４）。プレビュー画面では、前記図３に示す印刷画像１がパーソナルコンピュータ１００のモニタ画面に表示される。この画面上で色味の調整を行いたい部分を指示もしくは選択する。写真画像あるいは図形画像は前述のようにテキスト文書の画像領域に貼り付けられていることが多いので、写真、図形領域のいずれかの位置をポインタで指示すると、その写真あるいは図形が貼り付けられた矩形領域２が選択される。この例では、図２の写真領域に含まれるいずれかの位置をポイントすると、そのポイントした位置Ｐを含んだ写真領域が選択される。矩形領域２の選択は、このようなポイントの他に、例えばマウスなどによりポインタで１点を指示し、クリックした状態でドラッグし、クリックを開放すると、クリックした点とクリックを開放した点を対角線とする矩形領域が設定されるなどの公知の領域設定方式が使用できる。
【００３１】
このようにして色味を調整する画像領域２が選択されると、選択した箇所に対して、画像調整を行うか／行わないかを選択する。選択した箇所に対して画像調整を行わない場合は、プリンタドライバ画面３から「シート印刷」ボタン６を押下する（ステップＳ７）。この場合、選択した箇所が拡大／縮小せずに現在の設定値で印刷される。そして、ステップＳ８で出力された画像から画像調整を行うか否かを決定する。画像調整を行う場合は、ステップＳ９へ、行わない場合は、プリンタドライバの画面の「ＯＫ」ボタン７を押下して、印刷ダイアログに戻り全体を印刷する。
【００３２】
ステップＳ６で画像調整を行う場合には、調整したい画像要素／最大・最小値／間隔を前記プリンタドライバ画面３で選択する（ステップＳ９）。具体的には、図４のプリンタドライバの画像調整ウィンドウに戻り、調整したい画像要素を２個まで選択し（ここでは明度とシアン濃度が選択されている）、それぞれ調整したい画像要素により最大値／最小値を決定し、入力する。この例では、最大値１０、最小値−１０、間隔３が入力されている。このように入力すると、設定値０から間隔３ずつ最大値及び最小値方向に振った値が調整値として入力される。すなわち、この場合、調整値８は−９，−６，−３，０，３，６，９となる。なお、この実施形態では、色味を構成するパラメータとして明度、彩度、色相、シアン濃度、マゼンタ濃度、イエロー濃度が設定され、同時に調整できるパラメータは２つまでとしている。これは、色味を構成するパラメータを振って、１次元または２次元で印刷を行うためで、全てのパラメータを振って印刷できればそれはそれで好ましいと考えられるが、パラメータを振った結果を容易に確認できるのは２次元までであり、一般のユーザが６つのパラメータをそれぞれ変えて色味の調整を行っても、前記パラメータを振って画像の色味に反映される結果を予想するのはかなり難しいと考えられ、２つのパラメータずつ調整していく方が容易に意図した色味に設定できると考えられるからである。
【００３３】
このようにして調整領域と調整値の設定が終了し、「ＯＫ」ボタン７が押下されると、選択部分（調整対象となる画像）が印刷される（ステップＳ１０）。その際、選択した箇所の大きさ、調整する要素の最大・最小値／間隔から自動的に画像調整用シート１０がレイアウトされ、図５に示すような状態で出力される。調整する要素の最大・最小値／間隔から１枚に収まらない場合には、複数ページに跨って印刷する。この際、選択された箇所の画像の拡大／縮小は行わず、実際の画像（指定した領域）と同じ大きさで出力される。これは、一般には２次元方向に色味を構成するパラメータを変えて印刷したときに、見やすさを考えると画像が複数枚にわたる場合には縮小されることが多いが、縮小すると原寸の場合とは色味の設定が忠実に反映されない虞があるので、選択部分は原寸で出力するようにしたものである。画像は図５に示すように現在の設定値での出力は中央１１に位置し、それぞれ調整したい画像要素が指定された間隔で最小値から最大値まで変更されて出力される。そして、図５の出力画像１２から操作者の意図する色味の画像を選択する（ステップＳ１１）。
【００３４】
中央の出力画像１１を含む各出力画像１２の下にはそれぞれ変更された調整値の２つのパラメータの数値１３が印字されているので、好みの色味の画像の下に印字された設定値（数値）１３を読んで図４のプリンタドライバ画面３の調整した画像要素の「設定値」８の欄に入力する（ステップＳ１２）。これにより、選択された画像から画像要素の値がプリンタドライバ画面３から設定されることになる。さらに、再度、同じ画像要素で間隔を小さくして微調整を行ったり、異なる画像要素の調整を行うかを決定する（ステップＳ１３）。画像調整を行う場合はステップＳ９に戻って以降の処理を繰り返し、同様の方法で画像調整を行う。画像調整行わない場合は、設定値が入力されていることを確認して「ＯＫ」ボタンを押下する。これにより設定された値で印刷が行われる（ステップＳ１４）。
【００３５】
以上のようにして画像調整を行った画像要素の設定値１３を図４のプリンタ画面の各設定値８の欄に挿入することにより、これらの設定値８が画像すべてに反映さ、その結果、前記設定値８が前画像要素に反映された画像印刷行われることになる。
【００３６】
【発明の効果】
以上のように、本発明によれば、パーソナルコンピュータ等の情報処理装置からページ内の写真や図形を挿入した部分を指定し、モニタ画面を見ながら色味を合わせることが可能な印刷出力制御装置、印刷出力制御方法及びコンピュータプログラムを提供することができる。
【図面の簡単な説明】
【図１】本発明の実施形態に係る印刷出力制御装置のシステム構成を示すブロック図である。
【図２】図１のシステムの処理手順を示すフローチャートである。
【図３】図１のパーソナルコンピュータのアプリケーションによって作成された図形、写真が貼り付けられた文書の一例を示す図である。
【図４】図１のパーソナルコンピュータのプリンタドライバ画面を示す図である。
【図５】図４のプリンタドライバ画面から入力された設定値に基づいて図３の指定領域の画像要素を段階的に変化させて印字出力した状態を示す図である。
【符号の説明】
１  文書
２  指定される画像領域
３  プリンタドライバ画面
８  入力設定値
１０  画像調整用シート
１１  中央の出力画像
１２  出力画像
１３  （出力画像の）設定値
１００  パーソナルコンピュータ
１０１  ＣＰＵ
１０４  ＨＤＤ
１０７  メディア（光ディスク）
１１０，１１１  プリンタ
１１２，１１３  デジタル複合機
１２０  ネットワーク
【図１】
2004164125.tif 000003
【図２】
2004164125.tif 000004
【図３】
2004164125.tif 000005
【図４】
2004164125.tif 000006
【図５】
2004164125.tif 000007